(57)【要約】【課題】    パネル構造物により構成される間仕切り、家具等を含む建築物の内装空間全般における解体後の廃棄物を少なくして構成資源の再活用化の容易性を図り地球の環境を保護することのできる資源循環型内装空間創出システムを提供する。【解決手段】  ペーパーバイアスコアを芯体としたペーパーコアパネルを素材としてパーティション、隔壁材等の建材やデスク、棚等の家具を製作し、オフィス等の内装空間を創出し、内装空間の解体や撤去の必要性が生じたときにはそれらの構造物を解体後、仕分けをして、必要に応じて補修等を行ないあらたな内装空間の構成素材として再活用し、廃棄物を極力低減する。【選択図】図１
2016070040.tif 000002
【特許請求の範囲】
【請求項１】
工場におけるペーパーコアパネル組み立て段階である第一フェーズと、現場における造作段階である第二フェーズと、解体、撤去を行なう第三フェーズと、仕分、再生段階である第四フェーズとから構成されることを特徴とする資源循環型内装空間創出システム。
【請求項２】
前記第一フェーズが、ペーパーバイアスコアを芯体とそれを不燃性ボードにより両面から挟持してペーパーコアパネルを生産する一次加工工程である請求項１に記載の資源循環型内装空間創出システム。
【請求項３】
第二フェーズにおける造作段階の製作物が前記ペーパーコアパネルを設営現場に運搬、搬入し、建具またはデスク、棚等の家具等を製作する現場施工を行う二次加工工程からなることを特徴とする請求項１に記載の資源循環型内装空間創出システム。
【請求項３】
前記第三フェーズおよび第四フェーズにおいて、解体または撤去をした造作物の検査を行ない、毀損部の補修により再活用可能であるか、またはそのままの再活用が可能であるか、および廃棄処理すべきか、等の仕分け工程からなり、再活用可能なペーパーコアパネルを資源循環型システムに組み込むことを特徴とする請求項１に記載の資源循環型内装空間創出システム。
【請求項４】
バイアスコアを芯材として不燃性ボードをサンドイッチ状に配置した構成であるペーパーコアパネルを用いることを特徴とする請求項１に記載の資源循環型内装空間創出システム。
【発明の詳細な説明】
【技術分野】
【０００１】  本発明は、建築物の内装空間全般における施工方法に関し、特にパネル構造物を中心とした資源循環型内装空間システムに関するものである。
【背景技術】
【０００２】  地球の環境を保護する観点から資源のリサイクルシステムはかなり定着してきている。それらの多くは古紙を溶解して夾雑物を除去してからの再生紙製造や、木質系廃材をチップ化してから熱圧成形するパーティクルボードなど、原材料素材に近い状態に加工する過程を経るリサイクルシステムがある。このような大型工場段階における工程を要する分野のリサイクルシステムがある一方、資材自体の再活用をして廃棄物を抑制し省力化も図ることのできる小規模的リサイクルが要求される分野があり、その要望も高まっている。【０００３】  従来から、既存の建造物を複数のユニットに解体し、解体後の建材を同一の用途に再利用する方法を提案したものがあるが（特許文献１：特開２００６−９７２２５）、これは主として住宅等の比較的規模の大きい建造物における配管・シンク等を含む部材の再利用を図ろうとするものであって、内装の施工に対して適用できるものではない。【０００４】  内装については、再使用可能な店舗用パーティション壁装置を提案したものがあり（特許文献２：特開２０００−５０８３９５）、解体と再組み立てのできる隔壁モジュールエレメントを使用している。しかし、この構造体の目的としては、乾式構造壁部分について装飾品や展示品等の載置のための増築工事をする必要のないパーティション壁装置を提供することであり、すなわち展示品等の担持機能を持ち、かつ組立て・解体自在としたパーティション壁装置としたことで前記目的を達成しているが、その用途としては担持機能を有するパーティションとしてのみに使用限定がなされてしまい、それ以外の内装の施工用途に活用できるものではない。【０００５】  素材に関しては従来から、紙リサイクル原料を用いた建材による施工方法が提示されてきた。例えば、特開２００７−３０８９５５（特許文献３）においては、ダンボール材料による建築物が提示されている。ここで、使用後の建材を再生紙の原料化とすることを記載しており、使用済みの建材をその後も建材として再利用するものではない。【０００６】  特開２０００−３５２１４７（特許文献４）においては、リサイクル材であるダンボールを使用した曲面構造物が開示されている。これは、曲面構造物の建築および解体に費やすコスト、労力の軽減を目的としている。しかし、この構造物の解体撤去時には積層曲面ダンボールパネルを粉砕し水分解し、その大部分をパルプ繊維としてリサイクルするもので、使用後の建材を元の形状を活かして再利用することには言及していない。【０００７】特開２００４−２９０９３３（特許文献５）では外形がパネル状となる中空膜状体の連結・分離を容易にする手段としてスライドファスナ、面ファスナを使用することに言及しているが、ここにおいて使用されている中空膜状体は、建造物を解体する際に発生するほこりや塵等が周囲に散乱することを防ぐために建造物を覆う防塵装置として解体工事現場の側面部周囲を一時的に取り囲むために使用される中空膜状体であり、中空膜内部にエアを充填して成形するもので、それほどの強度を要求されるものではなく、また、装飾的効果を有するものでもない。
【先行技術文献】
【特許文献】
【０００８】
【特許文献１】特開２００６−９７２２５号公報
【特許文献２】特開２０００−５０８３９５号公報
【特許文献３】特開２００７−３０８９５５号公報
【特許文献４】特開２０００−３５２１４７号公報
【特許文献５】特開２００４−２９０９３３号公報
【発明の概要】
【発明が解決しようとする課題】
【０００９】  本発明は、内装工事において使用されるペーパーコアパネル建材を製作当初から元の形状、構造等を活用して再利用できるような循環型を考慮して作成することにより、資材の再利用、廃棄物の抑制、施工期間の短縮化等を図ろうとするものである。【００１０】  さらには間仕切り、壁材等の建材としての用途のみならず、内装空間の家具、什器等をもペーパーコアパネルを採用して製作することにより無駄のない循環型空間システムの構築を可能とする。【００１１】  本発明は、内装工事における建材としてペーパーコアパネルを使用し解体後の建材を元の形状を活かして新たな施工に再活用することにより、廃棄物も抑制し、施工における費用、労力を低減し工期を短縮するとともに、施工後のメンテナンスを容易に行うことができ、かつ解体後のペーパーコアパネルは間仕切りなどへの再利用のみならず家具、什器等への転用など多様な用途に活用し得る内装空間における循環型の施工システムの提案を目的とする。
【課題を解決するための手段】
【００１２】  本発明は、自然素材である紙製の再利用可能なペーパーコアパネルを使用するものであり、本出願人はこのシステムに最適なペーパーコアパネルとして特許出願第２０１０−２０７２６０号においてバイアスコア不燃パネルを提案している。
このペーパーコアパネルは紙製のバイアス構造体を芯材とするもので、釘やビスなどを使用せず、自然環境素材としての特性を有し、軽量でありながら、バイアス構造体を芯体としたことによる強度の確保および加工容易性等の利点を有する。【００１３】  ペーパーコアパネル製作工場において紙製のバイアスコアを芯材としてその表裏両面に、水酸化マグネシウム等の無機質粒子を混在させた紙素材の不燃ボードを貼着して本システムにおいて使用するパネルを作成する。なお、本出願人のバイアスコア不燃パネルはすでに建築基準法における不燃材としての認定を受けたものである。【００１４】  ペーパーコアパネルは長方形を基本とするが、紙製であるので必要に応じて自在形状に切断加工できる。パネル材の周辺端面部は紙製または木製の長尺部材で具体例として後述する方法により始末をつけ美的外観を確保する。【００１５】  前記ペーパーコアパネルを適宜形状に加工し、組み立てた間仕切り、壁材、デスク、収納棚、陳列棚等により展示ブースあるいはオフィス空間などを創出する。【００１６】  建造物の撤去またはオフィス空間のレイアウト変更などの必要が生じたときには、パネル材として解体、回収し、再資源としての再使用可能であるか否かを検査、仕分けをする。必要に応じてペーパーコアパネル材の補修なり毀損部の除去をしてパネル材としての再生をし、内装空間創出部材として再利用サイクルに組み込むことにより資源循環システムを構成する。
【発明の効果】
【００１７】  本発明の内装の施工方法によれば、再利用可能なペーパーコアパネルを各種造作物に用いることにより、搬入や工事等の作業の効率化が図れ、費用、労力を低減し施工期間を短縮することができる。また前述のように、解体後のパネルを回収、仕分けをして、毀損部分が大きいパネル材は紙をベース素材としているので粉砕して再生紙素材の原材料へ回すことができ、毀損部分が生じているものについては補修をすることにより、または無傷や汚損部分のないものは手を加えずにそのまま再利用可能なペーパーコアパネルとして循環型内装空間システムに組み込むことにより、新規建材の製造費用および廃材の処理費用の低減化を図ることができ、工期も短縮でき、ひいては環境負荷の低減も図ることができる地球環境にやさしいシステムである。
【図面の簡単な説明】
【００１８】
【図１】  バイアスコア３の構造図を示す。
【図２】  ペーパーコアパネルの断面図を示す。
【図３】  バイアスコア３の構造図を示す。
【図４】  ペーパーコアパネルを使用した組み立て接合例を示す。
【図５】  パネル接ぎ手の各種形状例を表す断面図である。
【図６】  隣接するペーパーコアパネルがスライドファスナーを介して連接される態様の構成図である。
【図７】  隣接するペーパーコアパネルがシート状蝶番を介して連接される態様の構成図である。
【発明を実施するための形態】
【００１９】  以下、本発明の好ましい実施の形態につき、パネルを主体としたシステム構成を添付図面を参照して詳細に説明する。図１は循環型内装空間システムの概念図である。このシステムは、ペーパーコアパネル製造⇒施工⇒解体・回収⇒再資源化・再使用の循環システムを構成してなる。
【００２０】  ペーパーコアパネルの基本構造としては長方形板状体であり、パーティション、隔壁材等の建材の他に、デスク、収納棚等の家具の作成素材として多用途に利用できるが、本実施態様においては建材としてのペーパーコアパネルを採用した循環型内装空間システムについて詳述する。
【００２１】  工場組み立て段階で製造される建材としてのペーパーコアパネルは、紙製のバイアスコアと、水酸化マグネシウムを不燃性成分として混入させたペーパーボードとから成る不燃性パネルである。ここでいう不燃とは、建築基準法に基づく不燃性の技術的基準に適合する性質を指す。
【００２２】  本願発明の資源循環型内装空間システムを実現するためには以下の構造的特徴を有する不燃性のペーパーコアパネルが最適である。
不燃性ペーパーコアパネル１は、図２に断面図として示すように、上下２枚の不燃性ボード２でバイアスコア３をサンドイッチ状に両側から挟むように貼り合わせた構成としている。
【００２３】  図３はバイアスコア３の構造図を示す。バイアスコア３はパネル作成前の段階では薄い状態に折り畳むことができるので、保管および運搬にスペースを取らずに済む。
【００２４】  バイアスコア３には多数の長方形の空気層が形成されており、この空気層により断熱性および遮音性を確保することができ、ペーパーコアパネル１の軽量化も図ることができ、多数の空気層を構成する壁面部の存在がペーパーコアパネル１へ強度を付与している。
【００２５】  バイアスコア３を広げて上下の端部に不燃性ボード２をサンドイッチ状に貼着してペーパーコアパネル１を作成する。このペーパーコアパネル１の厚さはバイアスコア３の厚みを変えることによって調整することができる。
【００２６】  次の工程において、上述のペーパーコアパネルを用いて、内装用の壁材、仕切板や、什器、家具、建具等の造作を行う。パネルは紙製であることにより加工が容易であり、様々な特注の造作物の製造に適用することができる。
【００２７】  ペーパーコアパネル１を使用した組み立て接合例を図４に示す。
パネル１のＶカット部４に長尺形の接ぎ手部材５を嵌合して複数のパネル１を接合することができる。図５のように各種形状の断面の接ぎ手を採用することにより、パネル１の適用範囲は平面性のみならず立体的構成の組み立ても可能となる。接ぎ手部材５とパネル１とは必要に応じて接着することもできるが、接着剤は使用しないことが望ましく、パネル１接合部に接ぎ手部材５を挿入嵌合する形状を採用して連接すれば、パネル１の部分交換や組み立て後の解体も容易にできこれらの各素材は容易に再利用可能となる。
【００２８】  なお、本発明におけるパネル材の製造過程およびパネル材の連接において接着剤を使用する場合には生分解性樹脂素材からなる接着剤を採用することが望ましい。また、イベント会場等におけるパーティションとして活用するなど、用途によってはパネル材の連接、分離の自在性を要求されることがあり、そのような場合には後述する実施態様のようなスライドファスナーを介して連接する方法もある。
【００２９】  ペーパーコアパネル１は平面的に連接する場合にはパネル１のＶカット部４に長尺形の接ぎ手部材５を嵌合して複数のパネル１を連接してする。この場合も嵌合用凹凸溝を双方に形成することにより接着剤を使用せずに接合することができる。
【００３０】  ペーパーコアパネル１は用途に応じたサイズに容易に製作加工できるので、パネルを連接して自在な面積のパネル連接体を構成することも可能であり、床部分、壁面、天井面、あるいはパーティションボードとしても活用できる。
【００３１】  図５は基本となる各種の形状の接ぎ手の断面を示し、これらの接ぎ手を適宜採用することにより、パネル材１の適用範囲は平面性のみならず立体的構成の組み立ても可能となる。
【００３２】  また、製造した造作物は紙製で軽量であることにより、設営場所に運搬し搬入する際にも、少人数かつ短時間の作業で済むという利点がある。これにより、内装の施工に要する工期を短縮することができる。
【００３３】  接着剤や釘、ビス等を使用せずに組み立てることができるため、作業時に騒音や臭いを発することもなく、ゴミもほとんど出さずに組み立て施工を行うことができる。
【００３４】  キズ等の毀損部が発生して補修の必要が生じた場合には、造作物のうち毀損部分のみを交換することができ、簡単に短時間でかつ低コストで日常的なメンテナンスを行うことができる。さらに、季節ごとに内装を変化させたり、用途に応じて間取りを自由に変化させたり、全面的な室内レイアウトの変更も容易に行うことができる。
【００３５】  また、使用後の内装は、施工時と同様に少人数かつ短時間で、解体し撤去することができる。解体の際に出る産業廃棄物も少なくて済み、この面でも処理コストが抑制できる。
【００３６】  撤去後のペーパーコアパネルは、工場において仕分けを行い、手を加えずに、あるいはわずかな補修をすることで再利用可能となるパネルを引き取り、再活用素材として新たな内装空間創出システムに組み込む。この割合としては概ね６０〜７０％程度の再活用度となる。残り３０〜４０％は再生紙資源として回収してリサイクルされる。このリサイクル資源も新たなペーパーコアパネル製造の原材料とすることができる。
【００３７】このような資源循環型の内装システムの実施により、内装の新規施工およびリフォーム等の製作費用を抑制することができる。
【００３８】  本発明のペーパーコアパネル建材を二枚以上連接して構成される組み合わせパネルの実施態様について、図６および図７を用いて説明する。
【００３９】  図６は、隣接するペーパーコアパネル１がスライドファスナー６を介して連接される態様における、連接部分の構成を示す。図６（ａ）は連接部分の上方からみた平面図であり、図６（ｂ）はその正面図である。
【００４０】  本態様において、スライドファスナー６は、ペーパーコアパネル１の縁部に取り付けられる。図６（ａ）に示すように、スライドファスナー６の縁布７は、ペーパーコアパネル１の切込み部８と小口Ｖカット継ぎ手部材９との間に差し込まれている。すなわち小口Ｖカット継ぎ手部材９が切込み部８に嵌合されることで縁布７が挟持されパネル１に固定されている。
【００４１】  本態様では、ペーパーコアパネル１同士がスライドファスナー６を介して間隔を有することから、連接するペーパーコアパネル１同士が成す角度を広い範囲で任意に変化させることができる。
【００４２】このような連接手段を用いて複数のペーパーコアパネル１を連接させることで、屏風状や多角形形状といった立体的構成を自在に組み立てることができる。
【００４３】  本態様においてペーパーコアパネル１はスライドファスナー６を介して連接されるため、スライドファスナー１の着脱により、一枚づつに分離をすることができる。そのため運搬や組み立て、収納などにおける取り扱いが容易である。
【００４４】  スライドファスナー６を単なる連接具として用いるだけでなく、スライドファスナー６の務歯部を彩色したり、目立つように大きな務歯を採用することにより、イベント会場などにおける装飾効果を伴ったパーティションとして使用することができる。
【００４５】  図７は、ペーパーコアパネル１がシート状蝶番１０を介して連接される実施態様を示す。ここでシート状蝶番１０は、その両側の縁部がペーパーコアパネル１の切込み部８と小口Ｖカット継ぎ手部材９との間に挟持されることでペーパーコアパネル１に固定され、同時にペーパーコアパネル１同士を連接する。
【００４６】  図７に示される態様は、組み合わせパネルの枚数が比較的少ない場合や、あらかじめ組み合わせパネル用のパネルユニットを準備する場合等、ペーパーコアパネル１を一枚づつに分離する必要がない使用目的に適する。また、連接手段にスライドファスナー６を用いる場合と異なり、組み合わせパネルを折りたたんだ際に、積層したパネルの縁からはみ出す部分がないという利点がある。
【産業上の利用可能性】
【００４７】  本発明は、施工、解体の際のペーパーコアパネル製品の取り扱いの容易さや、費用の安さ等の利点から、オフィスや住居の内装への用途の他に、展示会場、イベントブース等の仮設建造物への用途に適する方法として提供される。特に期間の限定を伴う仮設建造物や季節毎に変化させる店舗の内装にはコスト面と施工期間の短縮化において利点を有する。
【符合の説明】
【００４８】１  ペーパーコアパネル
２  不燃性ボード
３  バイアスコア
４  Ｖカット部
５  接ぎ手部材
６  スライドファスナー
７  スライドファスナーの縁布
８  パネル切込み部
９  小口Ｖカット継ぎ手部材
１０  シート状蝶番
【図１】
2016070040.tif 000003
【図２】
2016070040.tif 000004
【図３】
2016070040.tif 000005
【図４】
2016070040.tif 000006
【図５】
2016070040.tif 000007
【図６】
2016070040.tif 000008
【図７】
2016070040.tif 000009